(57)【要約】【課題】  メンテナンス作業以外の際には、廃トナーボックスを装置本体に維持したままにし、廃トナーこぼれにより装置本体や床等を汚すことを防止する。【解決手段】  装置本体１ａに廃トナーボックス４０を係止する係止フック１１５と、開閉扉１ｂに廃トナーボックス４０を係止する係止爪１０４ａ、１０５ａと、を備え、開閉扉１ｂに廃トナーボックス４０を係止爪１０４ａ、１０５ａで係止し、開閉扉１ｂと共に廃トナーボックス４０を回動可能な状態と、装置本体１ａに廃トナーボックス４０を係止爪１１５で係止し、廃トナーボックス４０を装置本体１ａに維持する状態とを切り替え可能に構成した。【選択図】    図４
2011232703.tif 000002
【特許請求の範囲】
【請求項１】
装置本体に対して開閉自在に取り付けられた開閉扉と感光体ユニットとの間に廃トナーボックスが配置されている画像形成装置において、
廃トナーボックスが前記感光体ユニットの交換が可能な第１の位置と、装置本体内に維持させる第２の位置とに選択して支持されることを特徴とする画像形成装置。
【請求項２】
前記開閉扉に前記廃トナーボックスを係止する第１の係止手段と、前記装置本体に前記廃トナーボックスを係止する第２の係止手段と、前記第１の係止手段と第２の係止手段の状態を切り換える手段と、を備え、前記開閉扉に前記廃トナーボックスを前記第１の係止手段で係止し、前記開閉扉と共に前記廃トナーボックスを回動させて前記第１の位置に前記廃トナーボックスが支持され、前記装置本体に前記廃トナーボックスを前記第２の係止手段で係止し、前記廃トナーボックスを装置本体内に維持して前記第２の位置に前記廃トナーボックスが支持されることを特徴とする請求項１に記載の画像形成装置。
【請求項３】
装置本体に対して開閉自在に取り付けられた開閉扉と感光体ユニットとの間に廃トナーボックスが配置されている画像形成装置において、
前記開閉扉に前記廃トナーボックスを係止する第１の係止手段と、前記装置本体に前記廃トナーボックスを係止する第２の係止手段と、を備え、前記開閉扉に前記廃トナーボックスを前記第１の係止手段で係止し、前記開閉扉と共に前記廃トナーボックスを回動可能な状態と、前記装置本体に前記廃トナーボックスを第２の係止手段で係止し、前記廃トナーボックスを前記装置本体内に維持する状態とを切り替え可能に構成したことを特徴とする画像形成装置。
【発明の詳細な説明】
【技術分野】
【０００１】
この発明は、複写機、プリンタ、ファクシミリ及びこれらの複合機等の画像形成装置に係り、特に、感光体ユニット等のメンテナンス作業時に廃トナーボックスを取り外すことなく、装置本体に残ったまま回避できる位置に移動可能な機構を備えた点に特徴を有するものである。
【背景技術】
【０００２】
従来から、複写機やプリンタ等の画像形成装置においては、感光体や中間転写ベルトなどのトナー像を保持する像担持体に保持されたトナー像を記録媒体などの転写媒体に転写させたのち、転写されずにこの像担持体に残ったトナーをクリーニング装置により像担持体から除去し、このように除去したトナーは廃トナーとして廃トナーボックスに回収されている。廃トナーボックスが満杯になると、ユーザが新しい廃トナーボックスに交換している。
【０００３】
ところで、廃トナーボックスの不必要な着脱により、装置本体側のトナー排出口からトナーが落下し、装置本体や設置場所を汚す場合がある。そこで、廃トナーボックスの不必要な脱着を抑制するために、廃トナーが所定量以上であると検知された場合に、廃トナーボックスが着脱可能となるように構成したものが知られている（例えば、特許文献１参照）。
【０００４】
また、廃トナー量には関係なく、開閉扉と必ず一緒に回動する廃トナーボックスの構成も知られている（例えば、特許文献２参照）。
【先行技術文献】
【特許文献】
【０００５】
【特許文献１】特開２００８−２６４１９号公報
【特許文献２】特開２００２−１４９０２５号公報
【発明の概要】
【発明が解決しようとする課題】
【０００６】
ところで、廃トナーボックスが感光体ユニット等と開閉扉との間に位置し、廃トナーボックスを取り外さないと感光体ユニット等の交換ができない構成を持つ画像形成装置においては、ユーザやサービスマンが感光体ユニット等の交換等のメンテナンス作業を行うときには、廃トナーボックスを装置本体より取り外して床や机の上に置く必要がある。
【０００７】
しかし、このような場合、メンテナンス作業中に誤って廃トナーボックスを倒してしまい、トナーこぼれにより床や机の上を汚す虞がある。
【０００８】
上記した特許文献１に記載のものは、装置本体や設置場所を汚すことを抑制するために、廃トナーが所定量以上であると検知されると、廃トナーボックスが着脱可能に構成している。しかし、廃トナーボックスを取り外さないとメンテナンス作業が行えないような構成においては、やはり、廃トナーボックスを装置本体より取り外して床や机の上に置く必要があり、上記の問題は依然として残っている。
【０００９】
また、特許文献２に記載のものは、廃トナーボックスは、開閉扉を開けるといつも一緒に回動するように構成されているので、感光体ユニット等のメンテナンス作業を必要としていないときにも開閉カバーを開けると廃トナーボックスも装置本体から離れることになり、装置本体内に廃トナーが落下し、装置本体や設置場所を汚す虞がある。
【００１０】
この発明は、感光体ユニット等のメンテナンス作業をする場合には、廃トナーボックスを装置に残したままメンテナンス作業を妨げない位置まで移動できるようにして廃トナーボックスを回避させ、メンテナンス作業以外の際には、廃トナーボックスを装置本体に維持したままにし、廃トナーこぼれにより装置本体や床等を汚すことを防止することを課題とするものである。
【課題を解決するための手段】
【００１１】
この発明においては、上記のような課題を解決するため、装置本体に対して開閉自在に取り付けられた開閉扉と感光体ユニットとの間に廃トナーボックスが配置されている画像形成装置において、廃トナーボックスが前記感光体ユニットの交換が可能な第１の位置と、装置本体内に維持させる第２の位置とに選択して支持されることを特徴とする。
【００１２】
また、この発明は、前記開閉扉に前記廃トナーボックスを係止する第１の係止手段と、前記装置本体に前記廃トナーボックスを係止する第２の係止手段と、前記第１の係止手段と第２の係止手段の状態を切り換える手段と、を備え、前記開閉扉に前記廃トナーボックスを前記第１の係止手段で係止し、前記開閉扉と共に前記廃トナーボックスを回動させて前記第１の位置に前記廃トナーボックスが支持され、前記装置本体に前記廃トナーボックスを前記第２の係止手段で係止し、前記廃トナーボックスを装置本体に維持して前記第２の位置に前記廃トナーボックスが支持されるように構成することができる。
【００１３】
また、この発明は、装置本体に対して開閉自在に取り付けられた開閉扉と感光体ユニットとの間に廃トナーボックスが配置されている画像形成装置において、前記開閉扉に前記廃トナーボックスを係止する第１の係止手段と、前記装置本体に前記廃トナーボックスを係止する第２の係止手段と、を備え、前記開閉扉に前記廃トナーボックスを前記第１の係止手段で係止し、前記開閉扉と共に前記廃トナーボックスを回動可能な状態と、前記装置本体に前記廃トナーボックスを第２の係止手段で係止し、前記廃トナーボックスを前記装置本体に維持する状態とを切り替え可能に構成したことを特徴とする。
【発明の効果】
【００１４】
この発明によれば、開閉扉と感光体ユニットとの間に廃トナーボックスが配置されている画像形成装置において、感光体ユニットのメンテナンス時には、開閉扉と共に廃トナーボックスを開くことができるので、廃トナーボックスを外す必要がなくなり、廃トナー等を机や床の上等にこぼして汚す虞がなくなる。
【図面の簡単な説明】
【００１５】
【図１】この発明の一実施形態に係る画像形成装置を示した概略説明図である。
【図２】この発明の一実施形態に係る画像形成装置において、廃トナーボックスを開閉扉と一緒に感光体ユニットの交換が可能な第１の位置に移動させる状態を示した概略平面図である。
【図３】この発明の一実施形態に係る画像形成装置において、廃トナーボックスを開閉扉と分離させて、廃トナーボックスを装置本体内に維持させる第２の位置に保持させる状態を示した概略平面図である。
【図４】この発明の一実施形態に係る画像形成装置において、廃トナーボックスが通常の使用時などで装置本体の内部にロックされている状態を示す模式図である。
【図５】この発明の一実施形態に係る画像形成装置において、メンテナンス作業時に廃トナーボックスが開閉扉にロックされている状態を示す模式図である。
【図６】この発明の一実施形態に係る画像形成装置において、メンテナンス作業時に廃トナーボックスが開閉扉にロックされている状態で開閉扉を開いた状態を示す模式図である。
【図７】この発明の一実施形態に係る画像形成装置において、廃トナーボックスが通常の使用時などで装置本体の内部にロックされている状態で開閉扉を開いた状態を示す模式図である。
【図８】この発明の一実施形態に係る画像形成装置において、廃トナーボックスのロック動作を制御するためのブロック図である。
【図９】この発明の一実施形態に係る画像形成装置において、感光体ユニットの交換動作のフロー図である。
【発明を実施するための形態】
【００１６】
この発明の実施の形態に係る画像形成装置について図面を参照しながら詳細に説明する。なお、図中同一または相当部分には同一符号を付し、説明の重複を避けるためにその説明は繰返さない。また、この発明に係る画像形成装置は、下記の実施形態に示したものに限定されず、その要旨を変更しない範囲において、適宜変更して実施できるものである。
【００１７】
この実施形態に係る画像形成装置においては、図１に示すように、感光体１１と、この感光体１１を帯電させる帯電装置１２と、転写後における感光体１１の表面に残留するトナーを除去するクリーニング装置１３とを備えた感光体ユニット１０と、現像装置２１を備えた現像ユニット２０を備え、４つの感光体ユニット１０と現像ユニット２０とを画像形成装置１内に設け、各現像ユニットにおける現像装置２１には、黒色，黄色，マゼンダ色，シアン色の色彩の異なるトナーを収容させるようにしている。
【００１８】
そして、この画像形成装置１によりフルカラーの画像形成を行うにあたっては、上記の各感光体ユニット１０における感光体１１をそれぞれ回転させ、各感光体１１の表面をそれぞれ帯電装置１２によって帯電させた後、このように帯電された各感光体１１の表面に、画像形成装置１内に設けられた露光装置４によりそれぞれ画像情報に応じた露光を行って、各感光体１１の表面にそれぞれ画像情報に応じた静電潜像を形成する。そして、このように静電潜像が形成された各感光体１１に、上記の各現像装置２１からそれぞれ色彩の異なるトナーを供給して、各感光体１１の表面にそれぞれ色彩の異なるトナー像を形成する。
【００１９】
次いで、このように各感光体１１の表面に形成された色彩の異なるトナー像を回転駆動される中間転写ベルト５に順々に転写させて、この中間転写ベルト６の上にフルカラーのトナー像を形成する一方、上記の各感光体１１の表面に残留するトナーを各感光体１１に対応して設けられた各クリーニング装置１３によって除去させるようにする。
【００２０】
そして、上記のようにフルカラーのトナー像が形成された中間転写ベルト５と転写ローラ７との間に記録媒体８を導き、中間転写ベルト５上に形成されたフルカラーのトナー像をこの記録媒体８に転写させ、このように転写されたフルカラーのトナー像を定着装置９によって記録媒体８に定着させる一方、上記の中間転写ベルト５の表面に残留するトナーをクリーニング装置１３によって除去させるようにする。
【００２１】
各クリーニング装置１３によって各感光体１１や中間転写ベルト５から除去された廃トナーが廃トナーボックス２０に導かれて貯蔵されるようにしている。
【００２２】
ここで、この実施形態における画像形成装置１においては、図２及び図３に示すように、廃トナーボックス４０が、感光体ユニット１０等と開閉扉１ｂとの間に位置するように構成されている。このため、この廃トナーボックス４０を取り外さないと感光体ユニット１０等の交換等のメンテナンス作業が行えない構成になっている。
【００２３】
また、通常の画像形成動作時などは、廃トナーボックス４０は、装置本体１ａの内部に設けた部品により、所定の位置に固定され、各感光体１１や中間転写ベルト５から除去された廃トナーが廃トナーボックス２０に導かれて貯蔵される。
【００２４】
図２及び図３に示すように、この実施形態の画像形成装置１は、装置本体１ａに対して開閉扉１ｂが左右方向に回動可能に取り付けられている。そして、感光体ユニット１０を交換する時には、図２の矢印Ａで示す方向に感光体ユニット１０を引き出し、感光体ユニット１０を取り付けるときには、矢印Ａ１に示す方向に感光体ユニット１０を差し込む。
【００２５】
この実施形態では、感光体ユニット１０の交換または取り付けの際には、廃トナーボックス４０を感光体ユニット１０が移動する方向から退避させる必要がある。そのため、この実施形態では、図２に示すように、感光体ユニット１０のメンテナンス作業時には、開閉扉１ｂに廃トナーボックス４０をロックするように構成し、開閉扉１ｂを開いた際には、廃トナーボックス４０が開閉扉１ｂとともに回動して、廃トナーボックス４０が感光体ユニット１０の交換または取り付けの際に邪魔にならない回避位置（第１の位置）に導かれるようにしている。
【００２６】
上記のように、感光体ユニット１０のメンテナンス作業が必要な場合にのみ、廃トナーボックス４０は、開閉扉１ｂに係合してロックされ、開閉扉１ｂと一緒に回動するように構成されている。
【００２７】
一方、感光体ユニット１０のメンテナンス作業時以外は、図３に示すように、廃トナーボックス４０は、装置本体１ａの内部の機構によりロックされ、開閉扉１ｂを開いても廃トナーボックス４０は、廃トナーを回収する所定の位置（第２の位置）に固定された状態を保っている。
【００２８】
廃トナーボックス４０は、装置本体１ａの内部にロックされた位置と、開閉扉１ｂと共に回動する位置にロックされた位置に変化する。このロック機構につき図４ないし図７に従い説明する。
【００２９】
図４は、廃トナーボックス４０が通常の使用時などで装置本体１ａの内部にロックされている状態を示す模式図である。
【００３０】
開閉扉１ｂは、装置本体１ａに対して回転軸１００を中心に開閉自在に取り付けられている。開閉扉１ｂには、図中上下方向に移動可能なスライダ装置１０３と、このスライダ本体１０３の一端部から装置本体１ａの内部方向に延びて形成され、先端に係止爪１０４ａを有するレバー部材１０４と、スライダ本体１０３の他端部から装置本体１ａの内部方向に延び、廃トナーボックス４０のロック状態を変更させる移動レバー１０６とが設けられる。
【００３１】
廃トナーボックス４０には、前記係止爪１０４ａと係合可能な先端部に係止爪１０５ａを有する係止レバー１０５が設けられている。係止爪１０４ａと係止爪１０５ａが第１の係止手段を構成し、係止爪１０４ａと係止爪１０５ａが係合することで、開閉扉１ｂに廃トナーボックス４０がロックされる。
【００３２】
また、装置本体１ａの内部には、廃トナーボックス４０を装置本体１ａ側にロックするための係止レバー１１１が設けられている。この係止レバー１１１は、装置本体１ａ内部に設けられた支持軸１１０に揺動自在に取り付けられる。係止レバー１１１の一端には、廃トナーボックス４０を装置本体１ａの内部にロックしているときに、廃トナーボックス４０と係合する係止爪１１５が設けられている。係止爪１１５が第２の係止手段を構成し、係止爪１１５が廃トナーボックス４０に係合することで、廃トナーボックス４０が装置本体１ａにロックされる。
【００３３】
さらに、係止レバー１１１には、上記レバー部材１０６と当接する傾斜部を有する作動部材１１４が設けられている。
【００３４】
係止レバー１１１の他端には、係止爪１１５を廃トナーボックス４０側に付勢する付勢バネ１１３が設けられている。さらに、係止レバー１１１には、付勢バネ１１３の付勢力に抗して係止爪１１５を廃トナーボックス４０から離間させるためのソレノイド１１２が設けられている。
【００３５】
スライダ本体１０５、移動レバー１０６、係止レバー１１１、付勢バネ１１３、ソレノイド１１３、作動部材１１４が第１の係止手段と第２の係止手段との状態を切り換える切り換え手段を構成する。
【００３６】
図４に示す状態では、ソレノイド１１２がオフでトナーボックス４０が装置本体１ａの内部にロックされた状態を示している。この状態では、付勢バネ１１３により係止レバー１１１が支持軸１１０を中心として係止爪１１５が廃トナーボックス４０と係合する方向に回転移動し、係止爪１１５と廃トナーボックス４０とが係合した状態が維持され、装置本体１ａにロックされた状態が保たれる。
【００３７】
次に、ユーザやサービスマンが感光体ユニット１０の交換等のメンテナンス作業を行いたい場合に、廃トナーボックス４０が開閉扉１ｂにロックされたまま回避可能な位置に移動できるように変化する場合につき、図５を参照して説明する。
【００３８】
ユーザやサービスマンが感光体ユニット１０のメンテナンス作業を行うときには、ユーザやサービスマンが感光体ユニット１０の交換可能にするための指示を行う。この交換可能の指示により、ソレノイド１１がオンし、付勢バネ１１３の付勢力に抗して支持軸１１０を中心として係止レバー１１１は図中矢印Ｄ方向に回転する。この係止レバー１１１の回転により、係止爪１１５と廃トナーボックス４０の係合が解かれる。そして、係止レバー１１１の一端が移動レバー１０６と当接し、移動レバー１０６を押し上げることにより、スライド本体１０３が図中矢印Ｅ方向に移動する。係止爪１０４ａを有するレバー部材１０４もスライダ本体１０３の移動に伴い、係止レバー１０５の係止爪１０５ａと係合する方向に移動する。そして、係止爪１０４ａと係止爪１０５ａとが係合し、開閉扉１ｂ側に廃トナーボックス４０がロックされた状態となる。
【００３９】
尚、廃トナーボックス４０は、開閉扉１ｂに設けられた支持板１０１または装置本体１ａ内部に設けられた支持板１０２に支持されている。
【００４０】
係止爪１０４ａと係止爪１０５ａとが係合し、開閉扉１ｂ側に廃トナーボックス４０がロックされた状態で開閉扉１ｂを開くと、図６に示すように、廃トナーボックス４０が開閉扉１ｂとともに回動して、廃トナーボックス４０が感光体ユニット１０の交換または取付の際に邪魔にならない回避位置に到達する。このとき、廃トナーボックス４０は開閉扉１ｂに設けられた支持板１０１に支持されている。
【００４１】
開閉扉１ｂ側に廃トナーボックス４０がロックされた状態で、開閉扉１ｂを閉めると、図５に示す状態となる。そして、メンテナンス作業が終了したことを指示すると、ソレノイド１１２がオフする。ソレノイド１１２がオフすると、係止レバー１１１は付勢バネ１１３の付勢力により、係止爪１１５と廃トナーボックス４０とが係合する方向に回転する。また、この係止レバー１１１の回転により、作動部材１１４と移動レバー１０６が当接する。この係止レバー１１１の付勢バネ１１３による回転により、作動部材１１４は、移動レバー１０６を押し下げ、スライダ本体１０３が移動し、係止爪１０５ａ、１０４ａの係合が解放される。そして、図４に示す状態となる。
【００４２】
この状態で開閉扉１ｂを開くと、図７に示すように、装置本体１ａ内部に廃トナーボックス４０がロックされた状態が維持され、開閉扉１ｂだけが開かれる。このように、メンテナンス作業以外の際には、廃トナーボックス４０を装置本体１に維持したままで開閉扉１ｂが開かれるので、廃トナーこぼれにより装置本体１ａや床等を汚す虞は無くなる、
【００４３】
次に、この発明の廃トナーボックス４０のロック状態の変更を制御する動作につき、図８及び図９を参照して説明する。
【００４４】
制御部２００は、ＣＰＵとこれを動作させるプログラムを記憶したＲＯＭ、データの一次保存などを行うＲＡＭなどにより構成され、画像形成装置１の各種動作を制御する。
【００４５】
制御部２００には、感光体ユニット１０のメンテナンス時期等を検知するための検知手段２０１からの情報が与えられる。この検知手段２０１は、例えば、記録枚数などに基づき、感光体ユニット１０の交換等のメンテナンス時期の情報を制御部２００に与える。
【００４６】
制御部２００には、表示制御部２０２が制御可能に接続されている。表示操作部２０２は、制御部２００によって制御され、ユーザが画像形成装置１に対し所定の操作を行うことができる。表示操作部２０２では、表示と操作とは独立してなされるものであってもよく、また、ＬＣＤタッチパネルのように表示画面上で操作を行えるようにしたものであっても良い。表示操作部２０２では、画像形成装置１に対する各種の設定を入力することができる。また、表示操作部２０２では、感光体ユニット１０のメンテナンス時を知らせる表示、また、この表示に従って感光体ユニット１の交換を指示する指示入力、感光体ユニット１０のメンテナンスが終了したことを指示する指示入力等が行われる。
【００４７】
制御部２００は、ソレノイド１１２を駆動する駆動部２０３に制御信号を与える。駆動部２０３は、制御部２００からの制御信号に基づき、ソレノイド１１２をオン、オフする。
【００４８】
次に、この実施形態の動作につき、図９に従い説明する。通常、廃トナーボックス４０は、装置本体１ａ内部の係止爪１１５により係合され、装置本体１ａにロックされて印刷可能状態となっている（ステップＳ１）。この状態で制御部２００は検知手段２０１からの情報を得る（ステップＳ２）。そして、制御部２００は、検知手段２０１から情報に基づき、感光体ユニット１０のメンテナンス時期か否か判断する（ステップＳ３）。メンテナンス時期になるまで、前述の動作を繰り返す。
【００４９】
この状態では、廃トナーボックス４０は、装置本体１ａ内部にロックされた状態であるので、開閉扉１ｂを開けると図３及び図７に示すように、開閉扉１ｂだけ開くことになる。
【００５０】
開閉扉１ｂを開けるだけの場合には、この状態で問題ないが、感光体ユニット１０のメンテナンス作業や廃トナーボックス４０の交換作業の時には、廃トナーボックス４０の装置本体のロックを解除しないと作業できない。まず、感光体ユニット１０のメンテナンス作業につき説明する。
【００５１】
感光体ユニット１０のメンテナンス時であると制御部２００が判断すると、操作表示部２０２にロック解除の作業ボタンを表示させて、交換可能状態への切り換えを選択するための表示を行う（ステップＳ４）。ユーザはこの操作表示部２０２の表示により、ロック解除が必要であることを認識する。
【００５２】
ユーザが操作表示部２０２により、感光体ユニット１０の交換可能ボタンを押すと、制御部２００は、その操作に基づきロック解除動作に入る（ステップＳ５）。
【００５３】
制御部２００は、ソレノイド１１２をオンにするために駆動部２０３に制御信号を送り、ソレノイド１１２をオン駆動する（ステップＳ６）。
【００５４】
ソレノイド１１２がオンすることにより、付勢バネ１１３の付勢力に抗して支持軸１１０を中心として係止レバー１１１は、係止爪１１５の廃トナーボックス４０との係合を解除する方向（図５中矢印Ｄ方向）に回転する。この係止レバー１１１の回転により、係止爪１１５と廃トナーボックス４０の係合が解かれる。そして、係止レバー１１１の一端が移動レバー１０６と当接し、移動レバー１０６を押し上げることにより、スライド本体１０３が係止爪１０４ａと係止爪１０５ａが係合する方向（図５中矢印Ｅ方向）に移動する。そして、係止爪１０４ａと係止爪１０５ａとが係合し、開閉扉１ｂ側に廃トナーボックス４０がロックされた状態となる（ステップＳ７）。
【００５５】
このロック状態で開閉扉１ｂを開けると、廃トナーボックス４０が開閉扉１ｂと一緒に回動する（ステップＳ８）。
【００５６】
この状態で、感光体ユニットのメンテナンス作業を行う（ステップＳ９）。
【００５７】
メンテナンス作業を終了後、開閉扉１ｂを閉じた後、メンテナンスの終了を表示操作部２０２等を用いて指示すると、制御部２００は、駆動部２０３に制御信号を送り、ソレノイド１１２をオフする。ソレノイド１１２がオフすることにより、開閉扉１ｂとのロックが解除され、係止爪１１５と廃トナーボックス４０とを係合され、廃トナーボックス４０が装置本体１ａにロックして固定される。
【００５８】
また、廃トナーボックス４０の交換は、図７に示すように、まず、廃トナーボックス４０を装置本体１ａにロックした状態で開閉扉１ｂを開く。そして、この状態で、操作表示部２０２より、廃トナーボックスの交換を指示するボタンを押す。制御部２００は、廃トナーボックス４０を交換するボタンが押されると、係止爪１１５と廃トナーボックス４０の係合を解除するために駆動部２０３に制御信号を送り、ソレノイド１１２をオンさせる。ソレノイド１１２がオンすることにより、係止レバー１１１は、付勢バネ１１３に抗して係止爪１１５の係合を解除する方向に回転する。そして、装置本体１ａと廃トナーボックス４０のロックが解除される。装置本体１ａと廃トナーボックス４０のロックが解除されると、廃トナーボックス４０を装置本体１ａから取り外すことができる。
【００５９】
また、廃トナーボックス４０の交換する他の方法としては、感光体ユニット１０のメンテナンス作業と同様に、開閉扉１ｂに廃トナーボックス４０を係合させる。そして、図６に示すように、開閉扉１ｂと廃トナーボックス４０を一緒に開いた後、スライダ本体１０３をスライドさせ、係止爪１０４ａ、１０５ａの係合を外すことで、廃トナーボックス４０を取り外すことができる。
【００６０】
尚、上記した実施形態では、開閉扉１ｂは装置本体１ａに対して左右方向に回動するように構成されているが、これに限らず、装置本体１ａに対して、上下方向の回動するように構成することもできる。
【００６１】
また、廃トナーボックス４０の装置本体１ａ内部、開閉扉１ｂへのロック機構は上記した機構に限らず、必要なときにだけ開閉扉１ｂへのロックできるような機構であればよい。
【００６２】
尚、上記した実施形態では、感光体ユニット１０の交換等のメンテナンス作業について説明したが、同様に現像ユニット２０の交換等のメンテナンス作業においても同様に廃トナーボックス４０を開閉扉１ｂと共に回動させればよい。
【符号の説明】
【００６３】
１  画像形成装置
１ａ  装置本体
１ｂ  開閉扉
１０  感光体ユニット
４０  廃トナーボックス４０
１００  回転軸
１０３  スライダ本体
１０４  レバー部材
１０４ａ  係止爪
１０５  係止レバー
１０５ａ  係止爪
１０６  レバー部材
１１０  支持軸
１１１  係止レバー
１１２  ソレノイド
１１３  付勢バネ
１１４  作動部材
１１５  係止爪
【図１】
2011232703.tif 000003
【図２】
2011232703.tif 000004
【図３】
2011232703.tif 000005
【図４】
2011232703.tif 000006
【図５】
2011232703.tif 000007
【図６】
2011232703.tif 000008
【図７】
2011232703.tif 000009
【図８】
2011232703.tif 000010
【図９】
2011232703.tif 000011